(57)【要約】【課題】ノック部８ａのノックストロークを長くすることなく、筆記時における筆記先端部５ａのがたつきを防止することができるノック式筆記具１を提供する。【解決手段】軸筒４の後端開口部４ａより突出したノック部８ａを前方へ押動することにより、軸筒４の先端開口部４ｂより筆記先端部５ａを出没させる回転カム機構を備えたノック式筆記具１であって、ノック体６のノック部８ａを押圧して回転カム１０を前進させ、筆記体５の筆記先端部５ａが軸筒４の先端開口部４ｂより突出した状態を維持した際に、第三バネ１４が保持筒１３を前方へ弾発して、筆記体５の先端外面５ｅを軸筒４の前方内壁面２ｂに圧接する。【選択図】図４
2012040824.tif 000002
【特許請求の範囲】
【請求項１】
軸筒の後端開口部より突出したノック部を前方へ押動することにより、該軸筒の先端開口部より筆記先端部を出没させる回転カム機構を備えたノック式筆記具であって、軸筒の内部に先端に係止部を有したカム溝を設けたカム部を形成し、ノック部の前方に軸部を形成したノック部材の該軸部を、前記カム溝内を摺動し該カム溝の前方に係止する突起及び前後方向の凹凸部によるカム歯を有し且つ軸心に貫通孔を形成した筒状部材の該貫通孔に挿通してノック体を形成し、前記カム溝内を摺動する突部及び前記筒状部材のカム歯に係止するカム歯受を有し且つ軸心に貫通孔を形成した回転カムの前記貫通孔に前記ノック部材の軸部を挿通すると共に、前記回転カムの内方に第二バネを配設し、前記ノック部材の軸部の前方に連結体を連結して、前記回転カムに設けた前部第二バネ受部と前記連結体に設けた後部第二バネ受部とで前記第二バネを挟持し、前記連結体の前方に前記筆記体の後方を保持する保持筒を配し、該保持筒の後方部と前記連結体の前方部とを当該保持筒の後方部に対して当該連結体を前後動可能に連結することにより、前記連結体に設けた前部第三バネ受部と前記保持筒に設けた後部第三バネ受部との間に挟持した第三バネを圧縮しながら当該前部第三バネ受部と当該後部第三バネ受部とが接近することを可能とし、且つ前記前部第三バネ受部と前記後部第三バネ受部との離間距離を前記連結体の前方部と前記保持筒の後方部との間に設けた規制手段により規制し、前記ノック体のノック部を押圧して前記回転カムを前進させ、前記筆記体の筆記先端部が前記軸筒の先端開口部より突出した状態を維持した際に、前記第三バネが前記保持筒を前方へ弾発して、前記筆記体の先端外面を前記軸筒の前方内壁面に圧接することを特徴としたノック式筆記具。
【請求項２】
前記第三バネを前記前部第三バネ受部と前記後部第三バネ受部との間に、常時圧縮した状態で挟持することを特徴とした請求項１に記載のノック式筆記具。
【請求項３】
前記筒状部材の後端部と前記ノック体のノック部の前端部との間に隙間を形成し、前記ノック部材が前進した状態から後退する際に、前記筒状部材の突起が、前記第二バネの弾発力により前記カム溝の後端部に当接した後に、前記第三バネの弾発力が加わり後方へ弾発されることを特徴とした請求項１又は２に記載のノック式筆記具。
【発明の詳細な説明】
【技術分野】
【０００１】
本発明は、ノック式筆記具に関する。
【背景技術】
【０００２】
従来より、軸筒内にバネで後方へ付勢して収容した筆記体の筆記先端部を、軸筒に設けた、カム溝と、該カム溝に沿って前後に摺動可能に配設した先端に凹凸状のカム歯を有したノック体と、前記カム歯に噛合うカム歯受を有した回転カムとで構成された繰出機構により、筆記先端部を軸筒の先端開口部より出没させる構造のノック式筆記具はよく知られている。このノック式筆記具においては、ノック体のノック部を押圧するとノック体のカム歯が前進し、カム歯の前進により回転カムが連動してカム溝に沿って前進し、回転カムに連動する筆記体も前進し、軸筒の先端開口部から筆記先端部を突出させる。前記回転カムは筆記先端部を突出させた後に回転して、カム溝の係止部に回転カムに設けた突部を係止させ、軸筒の先端開口部から筆記先端部を突出した状態が維持される。筆記先端部を軸筒内に没入させるには、再度ノック体を押圧して回転カムを若干前進させて回転させ、回転カムの突部とカム溝の係止部との係止を解除して、バネにより後方へ付勢された筆記体が回転カムを後退させ、筆記体の筆記先端部を軸筒内に没入させる。
【０００３】
尚、ノック体を押圧して筆記体の筆記先端部を軸筒の先端開口部より突出させた場合には、前術したように、回転カムの突部がカム溝の先端に設けた係止部に係止されるので、回転カムは後退することなく前進した状態を維持するが、ノック体は回転カムから離れて後退が可能となる。つまりノック体は、回転カムと元の位置との間でカム溝に沿って前後動が可能となり「ノック体のがたつき」という問題を生じている。また、筆記体の筆記先端部を軸筒の先端開口部より出没させる繰出機構を設けた筆記具においては、前記筆記先端部を軸筒の先端開口部より出没させるために、当然に筆記先端部の軸径は軸筒の先端開口部の内径より小径になっており、筆記時における軸径方向の「筆記体のがたつき」という問題がある。
【０００４】
しかしながら、特開２００８−２７９６７１号公報に記載されている構造の筆記具では、保持筒を前方へ弾発する第３のばね（本願発明の第三バネ）は、筆記体を後方へ弾発する第１のばね（本願発明の第一バネ）より弾発力を強く設定する必要がり、また非筆記時において、筆記体が第３のばねの弾発力によって突出してしまわないように、筆記先端部の没入状態において、第３のばねが自然長となるように設定しなければならなかった。したがって、第３のばねの弾発力によって、筆記体の筆記先端部を軸筒の内壁面に当接させる場合には、第３のばねが自然長である状態から圧縮することで弾発力を得る必要があり、結果的にノック部のノックストロークが長くなってしまい操作性を悪くしていた。
【先行技術文献】
【特許文献】
【０００５】
【特許文献１】特開２００８−２７９６７１号公報
【発明の概要】
【発明が解決しようとする課題】
【０００６】
本発明では、ノック部のノックストロークを長くすることなく、筆記時における筆記先端部のがたつきを防止することができるノック式筆記具を提供することを目的とした。
【課題を解決するための手段】
【０００７】
本発明は、
「１．軸筒の後端開口部より突出したノック部を前方へ押動することにより、該軸筒の先端開口部より筆記先端部を出没させる回転カム機構を備えたノック式筆記具であって、軸筒の内部に先端に係止部を有したカム溝を設けたカム部を形成し、ノック部の前方に軸部を形成したノック部材の該軸部を、前記カム溝内を摺動し該カム溝の前方に係止する突起及び前後方向の凹凸部によるカム歯を有し且つ軸心に貫通孔を形成した筒状部材の該貫通孔に挿通してノック体を形成し、前記カム溝内を摺動する突部及び前記筒状部材のカム歯に係止するカム歯受を有し且つ軸心に貫通孔を形成した回転カムの前記貫通孔に前記ノック部材の軸部を挿通すると共に、前記回転カムの内方に第二バネを配設し、前記ノック部材の軸部の前方に連結体を連結して、前記回転カムに設けた前部第二バネ受部と前記連結体に設けた後部第二バネ受部とで前記第二バネを挟持し、前記連結体の前方に前記筆記体の後方を保持する保持筒を配し、該保持筒の後方部と前記連結体の前方部とを当該保持筒の後方部に対して当該連結体を前後動可能に連結することにより、前記連結体に設けた前部第三バネ受部と前記保持筒に設けた後部第三バネ受部との間に挟持した第三バネを圧縮しながら当該前部第三バネ受部と当該後部第三バネ受部とが接近することを可能とし、且つ前記前部第三バネ受部と前記後部第三バネ受部との離間距離を前記連結体の前方部と前記保持筒の後方部との間に設けた規制手段により規制し、前記ノック体のノック部を押圧して前記回転カムを前進させ、前記筆記体の筆記先端部が前記軸筒の先端開口部より突出した状態を維持した際に、前記第三バネが前記保持筒を前方へ弾発して、前記筆記体の先端外面を前記軸筒の前方内壁面に圧接することを特徴としたノック式筆記具。
２．前記第三バネを前記前部第三バネ受部と前記後部第三バネ受部との間に、常時圧縮した状態で挟持することを特徴とした１項に記載のノック式筆記具。
３．前記筒状部材の後端部と前記ノック体のノック部の前端部との間に隙間を形成し、前記ノック部材が前進した状態から後退する際に、前記筒状部材の突起が、前記第二バネの弾発力により前記カム溝の後端部に当接した後に、前記第三バネの弾発力が加わり後方へ弾発されることを特徴とした１項又は２項に記載のノック式筆記具。」である。
【０００８】
本発明において、第三バネに弾発された連結体の前部第三バネ受部と保持筒の後部第三バネ受部との離間距離を規制する手段としては、例えば、連結体の前方に棒状の延出部を形成すると共に該延出部の前端外面に大径部を形成し、筆記体を保持する保持筒の後方に摺動孔を形成すると共に保持筒の後端内面に内向鍔部を形成し、連結体の大径部を保持筒の内向鍔部に乗り越えさせ、連結体の前部第三バネ受部と保持筒の後部第三バネ受部との間に挟んだ第三バネの弾発力により連結体の大径部と保持筒の内向鍔部とを当接させて、前部第三バネ受部と後部第三バネ受部との離間距離を規制することができる。
【０００９】
本発明では、前部第三バネ受部と後部第三バネ受部との離間距離を、連結体の前方部と保持筒の後方部との間に設けた規制手段により規制してあることから、第三バネが筆記体を後方へ弾発している第一バネを圧縮してしまい、没入状態の筆記体の筆記先端部を軸筒の先端開口部から突出させてしまう虞がなく、第一バネの弾発力と第三バネの弾発力との差を厳密に設定する必要もない。尚、第三バネの弾発力を強くするほど、筆記体の先端外面を軸筒の内壁面に強く圧接させて、筆記時における筆記先端部のがたつきを強く防止することができる。好ましくは、筆記体の筆記先端部を軸筒の先端開口部より突出させた際に、筆記体の筆記先端部は軸筒の先端部の内壁面に７．８４Ｎ（８００ｇｆ）以上の荷重で圧接できるように、第三バネの選定を行うものとする。その値の根拠は、一般的に高筆圧で筆記する場合は複写紙に筆記するときで、８枚綴りの複写紙において最終の頁に筆跡が形成されるには４．９Ｎ（５００ｇｆ）の筆圧荷重があれば充分であることが判っており、一般的な通常の筆記において、筆記体の筆記先端部が軸筒の先端部の内壁面に７．８４Ｎ（８００ｇｆ）以上の荷重で面接触で衝接していれば、筆記体が前後動することがなく、且つ軸径方向へのがたつきも抑制されるからである。さらに筆圧が高い人用には、筆記体の筆記先端部が軸筒の先端部の内壁面に９．８Ｎ（１０００ｇｆ）以上の荷重で面接触するように特に第三バネを選定すればよい。７．８４Ｎ（８００ｇｆ）以上の荷重であれば、全ての人に対する筆記体の筆記時におけるがたつきがなくなるというものではない。
【００１０】
さらに、予め第三バネを圧縮した状態で、連結体の前部第三バネ受部と保持筒の後部第三バネ受部との間に第三バネを装着することにより、ノック体のノック部を押圧して筆記体の筆記先端部を軸筒の先端開口部より突出させた際に、第三バネが保持筒を前方へ弾発して筆記体の先端外面を軸筒の内壁面に圧接させる力を強めることができると共に、第三バネが自然長からの圧縮ではないために、筆記体の先端外面を軸筒の内壁面に圧接させる際におけるノック部のノックストロークが長くなくてもよいものとなる。
【００１１】
またノック体が、ノック部のノック操作に従動するノック部材と、ノック部材の前方に突出する軸部へ前後動可能に挿通させた筒部材とを備え、筒部材の側面に突起を形成し、筒部材の後端部とノック部の前端部との間に隙間を設け、ノック体が前進した状態から後退するときに、筒部材の突起が第二バネの弾発力によってカム溝の後端部に当接した後に、第二バネの弾発力より強い第三バネの弾発力で後方へ弾発される構造とすることにより、カム溝の後端に当接した突起が受ける第三バネの弾発力による強い力を軽減させて、筒部材の突起の摩耗や損傷を防止することができる。
【発明の効果】
【００１２】
本発明におけるノック式筆記具は、ノック部のノックストロークを長くすることなく、筆記時における筆記先端部のがたつきを防止することができるノック式筆記具を得られた。
【図面の簡単な説明】
【００１３】
【図１】図１は、本実施例のノック式筆記具における非筆記時の断面図である。
【図２】図２は、本実施例のノック式筆記具における筆記時の断面図である。
【図３】図３は、本実施例のノック機構部分の分解図である。
【図４】図４は、図３を組立てた状態の断面図である。
【図５】図５は、ノック部を操作して非筆記状態に戻す状態を示す図である。
【発明を実施するための形態】
【実施例】
【００１４】
本実施例では、ノック式筆記具として軸筒内にボールペンレフィルを収容したノック式ボールペンを例にあげて説明するが、これに限定されるものではない。図１及び図２に示すように本実施例のノック式ボールペン１は、前軸２の雄螺子部２ａと後軸３の雌螺子部３ａとを連結して形成した軸筒４の内部にボールペンレフィル５を収容してあり、軸筒４の後端開口部４ａから突出させたノック体６を押圧することにより、詳細は後述するが回転カム機構にて、軸筒４の先端部に配設した第一バネ７により後方へ弾発されたボールペンレフィル５のチップ５ａを、軸筒４の先端開口部４ｂから出没させる構造である。
【００１５】
次に図３及び図４を用いて、本実施例のノック機構部分及びその周辺について詳述を行う。ノック体６は、ノック部材８のノック部８ａの前方に形成した軸部８ｂに、軸筒４のカム溝４ｃ（図１参照）を摺動する放射状に形成した複数の突起９ａと、前後方向に凹凸を有するカム歯９ｂとを有した筒状部材９とで構成し、筒状部材９の軸心に形成した貫通孔９ｃにノック部材８の軸部８ｂを挿通して構成してある。また本実施例ではノック部材８のノック部８ａと筒状部材９の貫通孔９ｃとの隙間に、回転カム１０の上方突出部１０ａを介在させてあり、回転カム１０の後方突出部１０ａに形成した小径孔１０ｂにノック部材８の軸部８ｂを摺動可能に挿通させると共に、筒状部材９の前端部に形成したカム歯９ｂに対して、回転カム１０に形成したカム歯受１０ｃを係止させ、回転カム１０の外周に形成した突部１０ｄが、軸筒４のカム溝４ｃ（図１参照）を摺動し、カム溝４ｃの前方に形成した係止部４ｄに係止する構造としてある。
【００１６】
また、回転カム１０の前方に形成した大径孔１０ｅには、小径孔１０ｂを挿通してきたノック部材８の軸部８ｂを挿通させると共に、大径孔１０ｅと軸部８ｂとの隙間に第二バネ１１を配設し、軸部８ｂの先端に形成した外向鍔状の係合部８ｃと、回転カム１０の前端に配した連結体１２の内向鍔状の係合受部１２ａとを係合させ、第二バネ１１を、回転カム１０の大径孔１０ｅの上方に形成した前部第二バネ受部１０ｆと、連結体１２に形成したフランジ１２ｂの後面に形成した後部第二バネ受部１２ｃとで挟持して、筒状部材９のカム歯９ｂと回転カム１０のカム歯受１０ｃとを第二バネ１１の弾発力により咬合するようにしてある。また本実施例では、連結体１２の前方部には、軸心に沿って棒状の延出部１２ｄを突設してあり、延出部１２ｄを保持筒１３の摺動孔１３ａに挿通すると共に、延出部１２ｄの先端に形成した大径部１２ｅを、保持筒１３の摺動孔１３ａの後端部に形成した内向鍔部１３ｂに係止して、抜け止め状態とすることにより、連結体１２の鍔部１２ｂの前面に形成した前部第三バネ受部１２ｆと、保持筒１３に形成した外向鍔部１３ｃの後面に形成した後部第三バネ受部１３ｄとで挟持した圧縮状態にある第三バネ１４の弾発力を規制する規制手段とした。また、保持筒１３の前方には、図１に示すボールペンレフィル５のインキ収容筒５ｂを、段部１３ｅにインキ収容筒５ｂの後端部５ｃが当接するまで挿入させて保持する保持孔１３ｆを形成してある。尚、図４に示す状態における各部材は、互いに外れることなく一つのノックユニット１５として構成され、図１に示すように軸筒４に組み込む際に、容易に装着することができる。尚、後軸３に対してノックユニット１５を前方より挿着する際には、ノックユニット１５が後軸４の前方内面に形成した突起部３ｂ（図１参照）を乗り越えて装着することとなり、突起部３ｂに保持筒１３の外向鍔部１３ｃが当接することで、ノックユニット１５が後軸４から脱落することがない。
【００１７】
次に図１及び図２を用いて、ノック式ボールペン１のノック操作について説明を行う。
図１の状態におけるノック式ボールペン１は、軸筒４の先端部に配設した第一バネ７が、インキ収容筒５ｂの側面に形成した突起部５ｄに当接してボールペンレフィル５を後方へ弾発している。この状態のノック部材８のノック部８ａを前方へ押圧することにより、ノック部材８に連動して連結体１２が前進し、連結体１２の前部第三バネ受部１２ｆに当接した第三バネ１４が縮むことなく保持筒１３を前進させ、保持筒１３がボールペンレフィル５を、インキ収容筒５ｂの先端５ｅが前軸２の先端内面に形成した段部２ｂに当接するまで前進させた後に、ノック部材８に伴って前進していた回転カム１０が筒状部材９のカム歯９ｂによって回転し、回転カム１０の突部１０ｄをカム溝４ｃの前方に形成した係止部４ｄに係止させ、図２に示すように軸筒４の先端開口部４ｂからボールペンレフィル５のチップ５ａを突出させ筆記状態を維持することができる。図２に示す状態では、第三バネ１４の弾発力により、インキ収容筒５ｂの先端５ｅを前軸２の段部２ｂに圧接して、筆記時におけるチップ５ａのがたつきを防止している。特に本実施例では、連結体１２の前部第三バネ受部１２ｆと、保持筒１３の後部第三バネ受部１３ｄと間に、第三バネ１４を予め圧縮した状態で挟持してあることから、ノック体６のノックストロークを長く設定することなく、第三バネ１４の弾発力を効果的にボールペンレフィル５に与えることができた。
また、図２の状態のノック部材８は、第三バネ１４で後方に弾発された連結体１２と一体になっていることから、前後にがたつくことがなく、また回転カム１０が第二バネ１１によって常に後方へ付勢されていることから、回転カム１０及び筒状部材９も、前後にがたつくことはない。筆記状態におけるノック部材８は、軸筒４の後端開口部４ａ内に前進した状態で保持されることから、ノック式ボールペン１が筆記状態にあることをノック部材８の前進した状態を見て判別することができる。尚、筒状部材９とノック部８ａとの間に設けた若干の隙間Ｓは、回転カム１０の回転時において、回転カム１０に形成したカム歯受１０ｃと、筒状部材９の前端部に形成したカム歯９ｂとを、隙間Ｓを設けることで互いにカムの山を乗り越えられるようにしたものである。
【００１８】
次に図５を用いて、図２の状態から図１の状態に戻す操作について説明を行う。本実施例では図２に示すノック部材８のノック部８ｂを前進させることによって、第三バネ１４を再び圧縮しながら筒状部材９のカム歯９ｂにより回転カム１０を回転させ、カム溝４ｃの係止部４ｄに係止した回転カム１０の突部１０ｄの係止状態を解除して回転カム１０を後退させ、それに連動してボールペンレフィル５のチップ５ａを軸筒４の先端開口部４ｂに没入することができる。本実施例では、図５に示すように、筒状部材９の突起９ａがカム溝４ｃの後端に接触するまでは、連結体１２の鍔部１２ｂと回転カム１０の底部１０ｇとの間には、隙間Ｔが形成され、第三バネ１４の強い弾発力が筒状部材９の突起９ａの後端にかかることなく、突起９ａの破損を防止することができた。
【産業上の利用可能性】
【００１９】
本発明は、軸筒の内壁面に形成したカム溝とノック体と回転カムと固定カムとで構成されたノック式繰出機構を有した、ボールペンやマーカー等のノック式筆記具に採用することができる。
【符号の説明】
【００２０】
１…ノック式ボールペン、
２…前軸、２ａ…雄螺子部、２ｂ…段部、
３…後軸、３ａ…雌螺子部、３ｂ…突起部、
４…軸筒、４ａ…後端開口部、４ｂ…先端開口部、４ｃ…カム溝、
４ｄ…係止部、
５…ボールペンレフィル、５ａ…チップ、５ｂ…インキ収容筒、
５ｃ…後端、５ｄ…突起部、５ｅ…先端、
６…ノック体、
７…第一バネ、
８…ノック部材、８ａ…ノック部、８ｂ…軸部、８ｃ…係合部、
９…筒状部材、９ａ…突起、９ｂ…カム歯、９ｃ…貫通孔、
１０…回転カム、１０ａ…上方突出部、１０ｂ…小径孔、
１０ｃ…カム歯受、１０ｄ…突部、１０ｅ…大径孔、
１０ｆ…前部第二バネ受部、１０ｇ…底部、
１１…第二バネ、
１２…連結体、１２ａ…係合受部、１２ｂ…フランジ、
１２ｃ…後部第二バネ受部、１２ｄ…延出部、１２ｅ…大径部、
１２ｆ…前部第三バネ受部、
１３…保持筒、１３ａ…摺動孔、１３ｂ…内向鍔部、
１３ｃ…外向鍔部、１３ｄ…後部第三バネ受部、１３ｅ…段部、
１３ｆ…保持孔、１４…第三バネ、１５…ノックユニット。
【図１】
2012040824.tif 000003
【図２】
2012040824.tif 000004
【図３】
2012040824.tif 000005
【図４】
2012040824.tif 000006
【図５】
2012040824.tif 000007